(57)【要約】      （修正有）【課題】横葺き屋根材に穴をあけることなく、強固に取り付けることができる、屋根上設置物用取り付け金具を提供する。【解決手段】固定ピース１は、上面部１１と、上面部１１の一側から折り下げられた脚部１５と、上面部１１の他側から折り下げられた折り下げ部１２とを有していて、折り下げ部１２の下側端縁は内側方向に向けられており、差し込みピース２は、側面部２２と、側面部２２の上側端縁を折り曲げた平面部２１と、側面部２２の下側端縁を平面部２１と同じ方向に折り曲げた差し込み部２３とを有しており、差し込みピース２に固定ピース１が組み合わせられている取り付け金具Ａを用いる。【選択図】図１
2011085011.tif 000002
【特許請求の範囲】
【請求項１】
固定ピースと差し込みピースとが固定具を介して組み合わせられた屋根上設置物用取り付け金具であって、
固定ピースは下向きに開口する形状をしており、
上面部と、
上面部の一側から折り下げられた脚部と、
上面部の他側から折り下げられた折り下げ部とが形成されており、
該折り下げ部の下側端縁は内側方向に向けられており、
差し込みピースは横向きに開口する形状をしており、
側面部と、
側面部の上側端縁を折り曲げた平面部と、
側面部の下側端縁を平面部と同じ方向に折り曲げた差し込み部とが形成されており、
差し込みピースの平面部に固定ピースの上面部が載せられており、
前記折り下げ部の下側端縁と前記差し込み部とで屋根材に挟持される屋根上設置物用取り付け金具。
【請求項２】
請求項１記載の屋根上設置物用取り付け金具であって、
折り下げ部の下側端縁は、
差し込み部と略平行に複数形成されている係止部となっており、
差し込み部の端縁は、
前記係止部の最も内側と最も外側の間に位置している屋根上設置物用取り付け金具。
【請求項３】
請求項１または請求項２記載の屋根上設置物用取り付け金具であって、
固定ピースの上面部から脚部にかけての面に挿通口が形成されており、
該挿通口において、
上面部の開口箇所はナットとワッシャーよりも狭い幅で、
脚部の開口箇所は少なくともボルトのねじ部よりも広い幅に形成されていることを特徴とする屋根上設置物用取り付け金具。
【発明の詳細な説明】
【技術分野】
【０００１】
本発明は、太陽電池モジュール等の屋根上設置物を取り付ける際に用いる、屋根上設置物用取り付け金具に関するものである。特に、すでに金属製横葺き屋根材で葺かれた屋根に屋根上設置物を取り付ける際に、用いることができるものである。
【背景技術】
【０００２】
従来の屋根上設置物用取り付け金具は、屋根材を貫通して下地材に固定されており、雨漏りの恐れがあった。
近年、それを防ぐために、金属製横葺き屋根材を挟持して取り付ける金具が用いられている。
【０００３】
図４に示した取り付け金具Ａは、その一例である。その取り付け金具Ａは、実用新案登録第３０９６７９０号公報に記載されていたものである。
図４の取り付け金具Ａは、固定ピース１と差し込みピース２とが、１枚の金属板から形成されている。そして、横葺き屋根材３に差し込みピース２を差し込み、固定ピース１で挟み込んで取り付ける。
差し込みピース２からボルト６が突出して固定ピース１を貫通しているので、それをナット４で締め付けて横葺き屋根材３に固定する。
このようにして横葺き屋根材３に固定された取り付け金具Ａに、支持材を介して太陽電池モジュール等の屋根上設置物を取り付ける。
【先行技術文献】
【特許文献】
【０００４】
【特許文献１】実用新案登録第３０９６７９０号公報
【発明の概要】
【発明が解決しようとする課題】
【０００５】
図４に示した取り付け金具Ａには、次のような問題点があった。
まず、固定ピース１と差し込みピース２とが、１枚の金属板から形成されているため、取り付け金具Ａ自体に強度がなかった。従って、取り付け金具Ａに荷重がかかった場合には、上段または下段の横葺き屋根材３に向かって脚部１５が傾く可能性があった。
また、固定ピース１において、差し込みピース２とで挟持する箇所は、外側方向に開いて形成されている。このため、荷重がかかった場合には、挟持箇所が開いてしまい、取り付け金具Ａが外れる可能性があった。
さらに、水下方向に滑るような力が働いたときにも、脚部１５が傾いたり、挟持箇所が開いたりして外れる可能性があった。
このように、上段と下段に施工されている横葺き屋根材３のどちら側にも傾く可能性があり、水下方向に滑って外れる場合もあり、屋根上設置物を安定して取り付けることができなかった。
そのうえ、固定ピース１の端縁と差し込みピース２の端縁とで横葺き屋根材３を傷付ける恐れがあった。ボルト６が突出している箇所は、固定ピース１と差し込みピース２の間隔があいているからである。ナット４で締め付けると、固定ピース１と差し込みピース２が付くまで締めようとする力が働き、端縁同士が必要以上に横葺き屋根材３を締め付けてしまった。
【０００６】
本願は、屋根上設置物用取り付け金具自体に強度があり、屋根材に強固に取り付けることができる取り付け金具を提供することを目的とする。
また、強固な取り付けができることに加えて、２つのピースを組み合わせる際に組み立てしやすく、一旦取り付けた金具を外したりはめたりしやすくする工夫が成された取り付け金具を提供することを目的とする。
【課題を解決するための手段】
【０００７】
上記の課題を解決するために、次のような取り付け金具を用いる。
請求項１に記載した屋根上設置物用取り付け金具は、本願発明の上位概念であって、基本形状を示している。
その取り付け金具は、下向きに開口する形状の固定ピースと横向きに開口する形状の差し込みピースとから成っている。固定ピースと差し込みピースとは、固定具を介して組み合わせられている。
固定ピースには、上面部と、上面部の一側から折り下げられた脚部と、上面部の他側から折り下げられた折り下げ部とが形成されており、該折り下げ部の下側端縁は内側方向に向けられている。
差し込みピースには、側面部と、側面部の上側端縁を折り曲げた平面部と、側面部の下側端縁を平面部と同じ方向に折り曲げた差し込み部とが形成されている。
このような差し込みピースの平面部に前記固定ピースの上面部が載せられて、屋根上設置物用取り付け金具を成している。そして、前記折り下げ部の下側端縁と前記差し込み部とで屋根材を挟持する。
前記折り下げ部は、上面部から鋭角な略Ｌ字状に折り下げたものでもよいし、折り下げてからさらに内側方向に折り曲げたものでもよい。いずれにせよ、折り下げ部の下側端縁が、内側方向に向けられていることが特徴である。
【０００８】
請求項２記載の屋根上設置物用取り付け金具は、請求項１記載の取り付け金具であって、折り下げ部の下側端縁は、差し込み部と略平行に複数形成されている係止部となっている。
この係止部は、たとえば、折り下げ部から、角度を変えて位置をずらして差し込み部と略平行に形成する。これにより、折り下げ部の下側端縁である係止部と差し込み部とで横葺き屋根材を挟持する位置が、一直線上ではなくなる。
また、係止部とで屋根材を挟持する差し込み部の端縁は、前記係止部の最も内側と最も外側の間に位置している屋根上設置物用取り付け金具である。
【０００９】
請求項３記載の屋根上設置物用取り付け金具は、請求項１または請求項２記載の取り付け金具であって、固定ピースの上面部から脚部にかけての面に、挿通口が形成されていることを特徴とする。
挿通口において、上面部の開口箇所は、２つのピースを連結する固定具であるボルトのねじ部を通すことができる幅で、そのボルトを締め付けるナットやワッシャーよりも幅が狭い。
また、脚部の開口箇所は、少なくともボルトのねじ部よりも広い幅である。ボルトのねじ部を通すことができるだけの幅であってもよいし、ナットやワッシャーよりも広い幅であってもよい。
【発明の効果】
【００１０】
請求項１によれば、まず、下向きに開口する形状の固定ピースと横向きに開口する形状の差し込みピースとから成っているため、取り付け金具自体に強度がある。
そして、固定ピースには、脚部が形成されていて、折り下げ部の下側端縁は内側方向に向けられている。このため、横葺き屋根材に取り付けられたのちに荷重がかかったときに、抵抗する方向に力が働いて、強固な取り付けができる。
脚部によって、下段の横葺き屋根材の表面側に傾くのを防ぎ、内側方向に向けられた折り下げ部の下側端縁と差し込み部とによって、上段の横葺き屋根材の表面側に傾くのを防ぐことができる。さらに、取り付け金具が水下方向に滑るのを防ぐこともできる。従って、屋根上設置物を安定して取り付けることができる。
そのうえ、差し込みピースの平面部に固定ピースの上面部が載せられている。そこで、折り下げ部の下側端縁と差し込み部とが、必要以上に屋根材を締め付けるのを防ぐことができる。
このように、従来技術とは異なり、脚部が形成されていて、折り下げ部の下側端縁が内側方向に向けられていて、差し込みピースの平面部に固定ピースの上面部が載っているので、強固で、屋根材に傷を付けにくい取り付け金具とすることができる。
【００１１】
請求項２によれば、固定ピースは、折り下げ部の下側端縁が、差し込み部と略平行に複数形成されている係止部となっている。
一方、差し込みピースは、差し込み部の端縁が、差し込みピースの上に固定ピースが組み合わせられたときに、係止部の最も内側と最も外側の間に位置している。
このため、複数の爪となって、係止部と差し込み部とで横葺き屋根材にしっかり食い込むように挟持して取り付けることができる。
各係止部と差し込み部とが互い違いに屋根材を挟持するので支点が分散し、いっそう強固な取り付け金具とすることができる。
【００１２】
請求項３によれば、挿通口によって、請求項１または請求項２の取り付け金具を組み立てやすくしたり、取り外ししやすくしたりすることができる。
まず、挿通口の全体の幅が、ボルトのねじ部を通すことができる幅で、そのボルトを締めるナットやワッシャーよりも狭い幅である場合を説明する。この場合には、差し込みピースに、先にボルトが挿通されている場合でも、差し込みピースの上面部に固定ピースの平面部を容易に重ねることができる。
次に、挿通口において、脚部の開口箇所の幅が、ナットやワッシャーを通すことができる幅を有していた場合を説明する。この場合には、前述の効果に加えて、ナットを緩めることで、ナットやワッシャーをはめたまま固定ピースを外し、再びはめることができるという効果も有している。
【図面の簡単な説明】
【００１３】
【図１】（ア）（イ）は、本願の取り付け金具Ａの実施例の説明図である。
【図２】図１の取り付け金具Ａを横葺き屋根材３に取り付けた状態を示す説明図である。
【図３】（ア）（イ）は、本願の取り付け金具Ａの他の実施例の説明図であり、さらに回り止めＢを組み合わせた実施例の説明図である。
【図４】従来技術の説明図である。
【実施例】
【００１４】
本願の屋根上設置物用取り付け金具Ａの実施例について、図１と図２に基づいて説明する。図１（ア）は分解斜視図であり、（イ）は組み立てた状態の説明図である。図２は、図１の取り付け金具Ａを横葺き屋根材３に取り付けた状態を示す説明図である。
横葺き屋根材３は金属製であり、図２に示したものは、その棟側に止着具８を打ち込んで、下地材７に固定する。そして、下段に施工されている横葺き屋根材３の棟側に、上段に施工する横葺き屋根材３の軒側を組み合わせて施工していく。
【００１５】
次に、横葺き屋根材３に取り付ける取り付け金具Ａの実施例について説明する。まず、基本構造について説明する。その取り付け金具Ａは、下向きに開口する固定ピース１と横向きに開口する差し込みピース２とから成っている。そして、固定具を介して組み合わせられている。
固定ピース１には、上面部１１と、上面部１１の一側から折り下げられた脚部１５と、上面部１１の他側から折り下げられた折り下げ部１２とが形成されている。その折り下げ部１２の下側端縁は内側方向に向けられている。
本実施例の折り下げ部１２は、上面部１１から略直角に折り下げられ、さらに、その下側端縁が内側方向に折り曲げられている。従って、折り下げ部１２の下側端縁は、上面部１１の端縁よりも内側方向に位置している。
差し込みピース２には、側面部２２と、側面部２２の上側端縁を略直角に折り曲げた平面部２１と、側面部２２の下側端縁を平面部２１と同じ方向に略直角に折り曲げた差し込み部２３とが形成されている。
このような差し込みピース２の上に前記固定ピース１が載せられて、取り付け金具Ａを成している。そして、固定ピース１の折り下げ部１２の下側端縁と、差し込みピース２の差し込み部２３とで、横葺き屋根材３に挟み込んで係止する。
【００１６】
本願の取り付け金具Ａは、このように、全体形状が下向きに開口する断面略コ字状の固定ピース１と、横向きに開口する断面略コ字状の差し込みピース２との組み合わせである。従って、取り付け金具Ａ自体が、強度の高いものである。
そして、固定ピース１には脚部１５が形成されており、折り下げ部１２の下側端縁は内側方向に向けられている。
このため、取り付け金具Ａが横葺き屋根材３に取り付けられたのちに荷重がかかったときに、脚部１５によって支持することができる。
また、折り下げ部１２の下側端縁が内側方向に向けられているため、横葺き屋根材３にしっかりと食い込んで強固な取り付けができる。
【００１７】
本実施例の場合には、その他の工夫点として、後述する差し込みピース２のガイド片２１ａ・２１ａと固定ピース１の切り欠き１１ａ・１１ａとが組み合わせられている。
固定ピース１は、上面部１１と、上面部１１から折り下げられた脚部１５及び折り下げ部１２を有していて、下方に開口する形状をしている。脚部１５は、横葺き屋根材３に組み合わせたときに水下方向に位置し、本実施例の場合には、横葺き屋根材３の表面の傷防止のために下側端縁が外側方向に折り曲げられている。折り下げ部１２は、水上方向に位置するように上面部１１から折り下げられている。
そして、上面部１１に、脚部１５及び折り下げ部１２が形成されない側を切り欠いた切り欠き１１ａ・１１ａが形成されている。そして、上面部１１には、ボルト６を挿入することができる穴があけられている。
【００１８】
さらに本実施例の場合には、いっそう強固な取り付けをするために、角度の異なる複数の係止部が形成されている。この係止部は、差し込み部２３と略平行に複数形成されている第一係止部１３・１３と第二係止部１４となっている。
本実施例の場合には、中央部分に第二係止部１４が形成されており、その両脇に第一係止部１３・１３が形成されている。上面部１１を折り下げて折り下げ部１２を形成し、さらに内側方向に折り曲げてから切り込みを入れて形成されている。
それぞれの第一係止部１３・１３の折り曲げ角度は同じであり、第二係止部１４の折り曲げ角度とは異なっている。このように、折り下げ部１２から角度を変えて、後述する差し込みピース２の差し込み部２３と略平行に、位置をずらして形成されている。
そして、図１及び図２に示した通り、第二係止部１４の方が、第一係止部１３・１３よりも短い。
【００１９】
差し込みピース２は、横向きに開口する形状をしている。差し込みピース２には、側面部２２が形成されており、その下側端縁を折り曲げて、横葺き屋根材３の組み合わせ箇所に差し込む差し込み部２３が設けられている。本実施例の場合には、ボルト６を挿入しやすいように差し込み部２３の中央部分が円弧状に切り欠かれている。
差し込み部２３の端縁は、固定ピース１と組み合わせたときに、第一係止部１３・１３と第二係止部１４の下側端縁の間に位置するように寸法設定されている。
また、差し込みピース２には、側面部２２の上側端縁を差し込み部２３と同じ方向へ折り曲げた平面部２１が形成されている。平面部２１の中央部分にはボルト６を挿入することができる穴があけられている。
【００２０】
さらに、図１（ア）の通り、差し込みピース２には、平面部２１の両側を立ち上げたガイド片２１ａ・２１ａが形成されている。このガイド片２１ａ・２１ａは、固定ピース１の切り欠き１１ａ・１１ａに組み合わせられる。本実施例の場合には、上側端縁が外側方向に折り曲げられている。
ガイド片２１ａ・２１ａは、差し込みピース２の平面部２１から切り起こして形成されている。平面部２１からガイド片２１ａ・２１ａだけを突出させて形成したものではなく、差し込み部２３・側面部２２・平面部２１の外形を形成する板取りによって設けられている。
このため、材料に無駄がなく、しかも、差し込み部２３の左右方向の長さが脚部１５よりも長くなって、横葺き屋根材３に差し込む長さを長くして強固に取り付けることができる。
【００２１】
続いて、図１（ア）の固定ピース１と差し込みピース２とを組み合わせて、図１（イ）の取り付け金具Ａとするようすを説明する。
まず、差し込みピース２の平面部２１に固定ピース１の上面部１１を載せる。このとき、差し込みピース２のガイド片２１ａ・２１ａに固定ピース１の切り欠き１１ａ・１１ａをはめる。平面部２１の端縁に、上面部１１と折り下げ部１２の角部を当てるようにし、差し込みピース２に固定ピース１をかぶせるとよい。
次に、差し込みピース２と固定ピース１の穴に下からボルト６を通し、上からワッシャー５をはめ、ナット４でそれぞれのピース１・２が離れないようにしておく。
２つのピースを組み合わせたとき、第一係止部１３・１３と第二係止部１４とは、差し込み部２３とによって横葺き屋根材３を挟持したときに、下側端縁が一直線上になく、ずれていて、挟持位置が異なる。従って、折り下げ部１２の下側端縁が一直線上にある場合に比べ、傾きの支点となる位置が分散するので傾きにくい。
【００２２】
本願の取り付け金具Ａの望ましい形態は、切り欠き１１ａ・１１ａとガイド片２１ａ・２１ａとを形成したものである。
このことにより、横葺き屋根材３に取り付けたときに左右方向となる側にも、水下水上方向となる側にも、各ピース１・２がずれない。
従って、差し込みピース２と固定ピース１とを組み合わせて取り付け金具Ａを成す際に、作業がしやすい。
もし、切り欠き１１ａ・１１ａとガイド片２１ａ・２１ａとが形成されていないとする。その場合には、上面部１１と平面部２１の穴がずれてしまい、ボルト６が挿入しにくくなる。
それぞれの穴がずれないように、上面部１１と平面部２１の左右方向の長さを揃えたとする。この場合には、左右方向のずれはなくなるが、横葺き屋根材３に取り付けたときに水下水上方向にずれる可能性がある。
本実施例の場合には、切り欠き１１ａ・１１ａとガイド片２１ａ・２１ａとを組み合わせればよいので、取り付け金具Ａの組み立て作業がスムーズにできる。
【００２３】
図２により、横葺き屋根材３に取り付け金具Ａを取り付けた状態を説明する。
本願の取り付け金具Ａは、すでに施工されている、新設または既設の横葺き屋根材３に取り付ける。
差し込みピース２の差し込み部２３と、固定ピース１の折り下げ部１２を開き気味にし、差し込み部２３を横葺き屋根材３の組み合わせ箇所に差し込む。あるいは、差し込みピース２に対して固定ピース１をまっすぐ上方に持ち上げてから差し込み部２３を差し込み、平面部２１に上面部１１を重ねる。
そして、ナット４を締め付けて、横葺き屋根材３に取り付け金具Ａを取り付ける。横葺き屋根材３に取り付け金具Ａが食い込むように、強く締め付ける。第一係止部１３・１３及び第二係止部１４と、差し込み部２３とで、横葺き屋根材３が変形するくらいまで締め付ける。本実施例の場合には、図２のように、横葺き屋根材３が第一係止部１３・１３と第二係止部１４とによって、略Ｓ字状に波打つようにして締め付けられる。
こうして横葺き屋根材３に取り付け金具Ａが取り付けられた後、取り付け金具Ａの上に、直接もしくは支持材を介して太陽電池モジュール等の屋根上設置物が取り付けられる。
【００２４】
さらに、横葺き屋根材３に取り付け金具Ａを取り付ける際の、ガイド片２１ａ・２１ａの利点について説明する。
固定ピース１と差し込みピース２とは、緩めに組み合わせられている。このため、横葺き屋根材３にはめるときに、差し込み部２３を横葺き屋根材３の組み合わせ箇所に差し込み、一旦、固定ピース１を上方に持ち上げてから下げることになる。もしくは、開き気味にしておいた折り下げ部１２を閉じるようにする。
このとき、切り欠き１１ａ・１１ａに対してガイド片２１ａ・２１ａを目安に組み合わせればよい。切り欠き１１ａ・１１ａが、文字通りガイド片２１ａ・２１ａに案内されて、所定の位置に組み合わせられる。
切り欠き１１ａ・１１ａとガイド片２１ａ・２１ａの組み合わせによって、固定ピース１と差し込みピース２の左右方向のずれも、水下水上方向のずれもなくなる。取り付け作業がしやすく、横葺き屋根材３に対して所定の位置に安定して取り付けることができる。
もし、切り欠き１１ａ・１１ａとガイド片２１ａ・２１ａが無い場合には、差し込みピース２が上段の横葺き屋根材３の表面側に傾いてしまう。また、ボルト６を中心として固定ピース１が回動するような動きをし、折り下げ部１２と側面部２２とが略平行にならず、差し込みピース２に対して固定ピース１が斜めになってしまう。
このように、切り欠き１１ａ・１１ａとガイド片２１ａ・２１ａとは、取り付け金具Ａの組み立てのときだけでなく、横葺き屋根材３に取り付けるときにも効果を発揮する。
また、本実施例のように、ガイド片２１ａ・２１ａの上側端縁を折り曲げておくことで、その折り曲げ面に支持材を載せることもできる。ガイド片２１ａ・２１ａの間に支持材を入れる際にも、位置決めすることができる。
【００２５】
本実施例の取り付け金具Ａの強度について、再び図２に基づいて説明する。横葺き屋根材３に取り付け金具Ａを取り付けたとき、第一係止部１３・１３と第二係止部１４とは差し込み部２３と略平行に形成されている。第一係止部１３・１３と第二係止部１４とは、折り曲げ角度が異なり、長さも違う。そして、差し込み部２３の端縁は、横葺き屋根材３を介して、第一係止部１３・１３と第二係止部１４の間に位置している。
このため、取り付け金具Ａが上段に施工されている横葺き屋根材３の表面側に傾くような力が働いたときに、第一係止部１３・１３と第二係止部１４の下側端縁が異なる支点となる。傾きの支点となる位置が分散するので、横葺き屋根材３に対して強固な取り付けとなり、傾くのを防ぐ。
さらに、中央部分にある第二係止部１４は、両脇の第一係止部１３・１３よりも短いので、固定ピース１と差し込みピース２を連結するためのボルト６の頭部が邪魔にならないという利点もある。
【００２６】
下段に施工されている横葺き屋根材３の表面側に傾くような力が働いたときには、脚部１５が支点となるため、傾きにくい。
そのうえ、取り付け金具Ａが水下方向へ滑るような力が働いたときにも、第一係止部１３・１３及び第二係止部１４と、差し込み部２３とで横葺き屋根材３をしっかり挟持しており、脚部１５が支えとなるため、滑りにくい。
本実施例の場合には、脚部１５の下側端縁を外側方向に折り曲げた角度より、上面部１１を折り下げて脚部１５を形成した角度の方が大きいので抵抗が大きくなり、いっそう水下方向へ滑りにくい。
【００２７】
これまで述べた通り、本実施例の取り付け金具Ａが横葺き屋根材３に強固に取り付けられるのは、横葺き屋根材３が略Ｓ字状に湾曲するように変形して挟持する爪のような働きをする第一係止部１３・１３及び第二係止部１４が形成されているからである。
本実施例の場合には、第二係止部１４の両脇に第一係止部１３・１３が形成されている。しかし、係止部は、複数であって、挟持位置が異なるように差し込み部２３と略平行に形成されていればよく、本実施例に限定されるものではない。
また、取り付け金具Ａは、各係止部１３・１３・１４だけでなく、脚部１５によっても支持される。このため、上段の横葺き屋根材３の表面側へも、下段の横葺き屋根材３の表面側へも傾きにくく、しかも水下方向へ滑りにくい。
【００２８】
さらに、ボルト６の位置は、横葺き屋根材３に取り付け金具Ａが取り付けられたときに、挟持された箇所のほぼ真上となっている。
このため、屋根上設置物が上方に持ち上がるような力が働いたときにも、外れにくい。もし、ボルト６の位置と挟持位置が、図４のようにずれていたならば、取り付け金具Ａが変形して屋根上設置物が傾いたり、取り付け金具Ａが横葺き屋根材３から外れたりしやすい。
【００２９】
図示していないが、取り付け金具Ａに、挿通口を設けた実施例について説明する。図１の固定ピース１の上面部１１から脚部１５にかけての略Ｌ字状の面に、固定ピース１と差し込みピース２を連結するための固定具を通すことができる幅の挿通口を形成する。
実施例として、図３とは異なり、挿通口１６の幅が、２つのピース１・２を連結するためのボルト６のねじ部を通すことができる幅を有する場合から説明する。この挿通口１６は、上面部１１から脚部１５にかけての開口箇所が同じ幅で、ナット４やワッシャー５よりも幅が狭い。
このような挿通口１６があることで、差し込みピース２の平面部２１に先にボルト６を通しておいたり、差し込みピース２にボルト６が固定されていたりした場合でも、固定ピース１を重ねる作業がスムーズに行える。
固定ピース１の折り下げ部１２もしくは係止部１３・１４の下側端縁が差し込みピース２の上面部２１の端縁を越えるように傾ける。次に、挿通口１６の脚部１５側の開口箇所にボルト６を通し、そのボルト６を軸にして回転させるようにして、固定ピース１を起こす。このようにして、２つのピースの穴を合わせて下からボルト６を通すのに比べ、組み立て作業が一連の動きで行える。
【００３０】
図３は、挿通口１６において、脚部１５の開口箇所の幅が、２つのピース１・２の固定具であるナット４やワッシャー５を通すことができる幅である例を示している。
この場合には、挿通口１６の幅が、脚部１５と上面部１１にかけて同じである場合の効果に加えて、次のような効果がある。
組み立ての際、ボルト６にナット４やワッシャー５が通してあっても、脚部１５の挿通口１６を利用して、容易に組み立て作業が行える。
逆に、ナット４を緩めて、固定ピース１をボルト６に沿わせて差し込みピース２を持ち上げてから傾け、挿通口１６にナット４やワッシャー５を通して差し込みピース２を外すこともできる。従って、ナット４やワッシャー５をはめたまま、再びはめることができる。
小さな部品であるナット４やワッシャー５を落とすことがなく、ボルト６から外したり再びはめたりする手間も省ける。
【００３１】
さらに図３は、挿通口１６が、２つのピース１・２を連結するボルト６の回り止めＢを取り付けるボルト９の頭部をも通すことができる幅である例を示している。
回り止めＢが取り付けられた差し込みピース２に固定ピース１を組み合わせる場合、回り止めＢを取り付けるボルト９の頭部が邪魔になる。差し込みピース２に固定ピース１を組み合わせる際、脚部１５が、そのボルト９の頭部に当たってしまうからである。
このとき、脚部１５における挿通口１６の幅が、回り止めＢを取り付けるボルト９の頭部をも通す幅であったならば、取り付け金具Ａを容易に組み立てることができる。
もし、挿通口１６が無ければ、ボルト９の頭部が当たらないように、差し込みピース２の側面部２２と固定ピース１の脚部１５の間隔を広くするために、上面部１１の長さを長くする必要がある。挿通口１６があることで、取り付け金具Ａを大きくすることなく、回り止めＢを取り付けられる。
また、挿通口１６によって、取り付け金具Ａの回り止めＢのボルト９を容易に外して分解することもできる。
このように工夫を重ね、強固であるだけでなく、組み立てしやすい、取り外ししやすい、といった利点を持つ取り付け金具Ａとした。
【符号の説明】
【００３２】
Ａ      取り付け金具
１      固定ピース
１１    上面部
１１ａ  切り欠き
１２    折り下げ部
１３    第一係止部
１４    第二係止部
１５    脚部
１６    挿通口
２      差し込みピース
２１    平面部
２１ａ  ガイド片
２２    側面部
２３    差し込み部
３      横葺き屋根材
４      ナット
５      ワッシャー
６      ボルト
７      下地材
８      止着具
９      ボルト
Ｂ      回り止め
【図１】
2011085011.tif 000003
【図２】
2011085011.tif 000004
【図３】
2011085011.tif 000005
【図４】
2011085011.tif 000006